(57)【要約】【課題】  防水層の立ち上がり部の施工スペースを確保しつつ、その立ち上がり部に雨水などが飛散するのを防止できるサッシ防水構造を提供する。【解決手段】  バルコニー１に設けられる窓用のサッシ７の防水構造１６において、バルコニー１の床面２の上方に位置するサッシ７の下枠８に、後付水切り部材２４を設けており、この後付水切り部材２４は、下方に垂れ下がる垂下部２５と、下枠８の下面に当接する転び防止部２６とを備えた断面逆Ｌ字状の板材にて構成されている。【選択図】      図１
2007046281.tif 000002
【特許請求の範囲】
【請求項１】
バルコニーに設けられる窓用のサッシの防水構造において、
前記バルコニーの床面の上方に位置する前記サッシの下枠に、後付水切り部材を設けた  
ことを特徴とするサッシ防水構造。
【請求項２】
前記後付水切り部材は、下方に垂れ下がる垂下部と、前記下枠の下面に当接する転び防止部とを備えた
ことを特徴とする請求項１に記載のサッシ防水構造。
【請求項３】
前記後付水切り部材は、その前面が前記下枠の前面と面一になるように形成された
ことを特徴とする請求項１または請求項２に記載のサッシ防水構造。
【請求項４】
前記後付水切り部材は、前記サッシの下枠の材料と同質もしくは同等の耐久性を有する金属材料あるいは樹脂材料にて構成された
ことを特徴とする請求項１乃至請求項３のいずれか一項に記載のサッシ防水構造。
【請求項５】
前記後付水切り部材は、前記サッシの下枠の材料と同質もしくは近似する色および質感となるように形成された
ことを特徴とする請求項１乃至請求項４のいずれか一項に記載のサッシ防水構造。
【請求項６】
前記後付水切り部材は、前記下枠に着脱自在に固定された
ことを特徴とする請求項１乃至請求項５のいずれか一項に記載のサッシ防水構造。
【請求項７】
前記後付水切り部材は、ビスによって前記下枠に固定された
ことを特徴とする請求項１乃至請求項６のいずれか一項に記載のサッシ防水構造。
【発明の詳細な説明】
【技術分野】
【０００１】
本発明は、サッシの防水構造に係り、特に、バルコニーの窓に利用されるサッシの防水構造に関する。
【背景技術】
【０００２】
一般に、窓に用いられるサッシは、一対の縦枠と上枠と下枠を備えており、下枠には前端部から下方に延出する板状の水切り部材が形成されている（例えば、特許文献１参照）。この水切り部材によって、サッシ前面から流れた雨水が、下枠から落下し、下枠の下面に流れ込むのを防止している。
【０００３】
ところで、前記構成と同様のサッシをバルコニーの窓用サッシとして利用した場合、サッシの下部の納まりは、図４に示すような構造となる。図示するように、サッシ５１の下方には、水勾配が設けられたバルコニー５２の床面５３が形成されている。床面５３は、板状の下地材５４の表面に防水層５５が敷設（または塗布）されて構成されている。防水層５５は、バルコニー５２の基端部５６で、壁下地材５７に沿って上方に立ち上がり、その上端部には、コーキング５８などのシールが施されている。
【特許文献１】特開平８−１７７３３２号公報（図１）
【発明の開示】
【発明が解決しようとする課題】
【０００４】
ところで、近年、バリアフリーの要請から、バルコニー５２の床面５３と、室内の床面５９との段差を小さくすることが求められている。また、バルコニー５２は、水勾配を必要とするため、基端側の床面５３のレベルが高くなっている。そのため、サッシ５１の下枠６１とバルコニー５２の床面（防水面）５３との隔離寸法が小さいため、下枠６１の下部の奥（バルコニー５２の基端部５６）に形成される防水層５５の立ち上がり部６２を施工する際のスペースが狭く、その施工作業が困難である。これによって、立ち上がり部６２の施工（防水層５５の敷設・接着（あるいは塗布）やコーキング５８など）品質が一定となりにくく、品質にバラつきが発生してしまう問題があった。また、施工作業後の目視確認も難しく、品質確保上問題となっていた。
【０００５】
そのため、バルコニー５２で用いられるサッシ５１は、下枠６１の下部に形成される水切り部材６３の垂れ下がり長さを最小（例えば、１５ｍｍ程度）にして、少しでも防水層５５の立ち上がり部６２の施工スペースを大きくして、防水層５５の立ち上がり部６２の品質のバラつきを小さくするようにしていた。
【０００６】
しかしながら、前記のサッシ５１の構成では、台風などの強風時に、サッシ５１の前面を流れた雨水やサッシ５１の下方に降り注いだ雨水が、強風の風圧によって防水上の弱点部である防水層５５の立ち上がり部６２に飛散してしまい、好ましくなかった。特に、近年は、大面積のルーフバルコニーのニーズが高く、防水層５５の立ち上がり部６２は、風雨の影響をより受けやすい状況となっている。
【０００７】
そこで、本発明は、前記の問題を解決するためになされたものであり、防水層の立ち上がり部の施工スペースを確保しつつ、その立ち上がり部に雨水が飛散するのを防止できるサッシ防水構造を提供することを課題とする。
【課題を解決するための手段】
【０００８】
前記課題を解決するための請求項１に係る発明は、バルコニーに設けられる窓用のサッシの防水構造において、前記バルコニーの床面の上方に位置する前記サッシの下枠に、後付水切り部材を設けたことを特徴とするサッシ防水構造である。
【０００９】
前記構成によれば、防水層の立ち上がり部を施工した後に後付水切り部材を取り付けることによって、立ち上がり部の施工スペースを確保しつつ、その立ち上がり部に雨水が飛散するのを防止することができる。すなわち、立ち上がり部の施工時には、後付水切り部材は設けられていないので、防水層の施工が行いやすく、立ち上がり部６２の品質を高めて均一化することができる。さらに、施工作業後の目視確認も容易に行うことができる。
【００１０】
請求項２に係る発明は、前記後付水切り部材が、下方に垂れ下がる垂下部と、前記下枠の下面に当接する転び防止部とを備えたことを特徴とする請求項１に記載のサッシ防水構造である。
【００１１】
バルコニーに設けられる掃き出し窓用のサッシ下部には、風圧がかかったり、人の足先がぶつかったりして、外力がかかることが想定されるが、前記構成によれば、転び防止部が下枠の下面に当接しているので、垂下部に外力がかかっても、外力を下枠の下面に伝えることができ、垂下部がバルコニーの基端側に転ぶのを防止できる。
【００１２】
請求項３に係る発明は、前記後付水切り部材が、その前面が前記下枠の前面と面一になるように形成されたことを特徴とする請求項１または請求項２に記載のサッシ防水構造である。
【００１３】
前記構成によれば、サッシの下枠と後付水切り部材とで一体感を得ることができ、意匠性を向上させることができる。
【００１４】
請求項４に係る発明は、前記後付水切り部材が、前記サッシの下枠の材料と同質もしくは同等の耐久性を有する金属材料あるいは樹脂材料にて構成されたことを特徴とする請求項１乃至請求項３のいずれか一項に記載のサッシ防水構造である。
【００１５】
さらに、請求項５に係る発明は、前記後付水切り部材が、前記サッシの下枠の材料と同質もしくは近似する色および質感となるように形成されたことを特徴とする請求項１乃至請求項４のいずれか一項に記載のサッシ防水構造である。
【００１６】
請求項４および請求項５に係る発明によれば、サッシの下枠と後付水切り部材とでさらなる一体感を得ることができ、意匠性を大幅に向上させることができる。
【００１７】
請求項６に係る発明は、前記後付水切り部材が、前記下枠に着脱自在に固定されたことを特徴とする請求項１乃至請求項５のいずれか一項に記載のサッシ防水構造である。
【００１８】
前記構成によれば、経年変化時のメンテナンスによる再施工時に、後付水切り部材を取り外すことで、立ち上がり部の施工スペースを確保することができ、防水層の立ち上がり部の施工後に後付水切り部材を取り付けることで、立ち上がり部に雨水が飛散するのを防止することができる。
【００１９】
請求項７に係る発明は、前記後付水切り部材は、ビスによって前記下枠に固定されたことを特徴とする請求項１乃至請求項６のいずれか一項に記載のサッシ防水構造である。
【００２０】
前記構成によれば、後付水切り部材をサッシの下枠に強固に固定できるので、後付水切り部材にかかる外力に対抗することができる。さらに、ビスによって固定しているので、後付水切り部材の着脱が容易となるとともに、経年変化時のメンテナンスによる再施工時に、後付水切り部材を取り外すことで、立ち上がり部の施工スペースを確保することができ、防水層の立ち上がり部の施工後に後付水切り部材を取り付けることで、立ち上がり部に雨水が飛散するのを防止することができる。
【発明の効果】
【００２１】
本発明によれば、サッシの下方のバルコニー防水層の立ち上がり部の施工スペースを確保しつつ、その立ち上がり部に雨水が飛散するのを防止できるといった優れた効果を発揮する。
【発明を実施するための最良の形態】
【００２２】
［第１実施形態］
本発明を実施するための最良の第１の実施形態について図面を参照して詳細に説明する。
【００２３】
図１は、本発明に係るサッシ防水構造を実施するための最良の第１の実施の形態を示した断面図である。なお、本実施の形態では、バルコニーに掃き出し窓用のサッシが設けられた場合を例に挙げて説明する。
【００２４】
まず、サッシの下方のバルコニーの防水層の構成について説明する。
【００２５】
図１に示すように、バルコニー１は、壁面から延出した片持ち梁（図示せず）に支持された板状の床下地材３を備えている。床下地材３は、水勾配を備えるべく、バルコニー１の先端側が下がるように傾斜されて片持ち梁に固定されている。床下地材３の表面には、シート状の防水層４が敷設されて床面２が形成されている。防水層４は、下地層である第一防水層４ａと、第一防水層４ａの上面に敷設される第二防水層４ｂとで構成される。第二防水層４ｂは仕上げ層となる。なお、本実施の形態では、防水層４は、下地層と仕上げ層からなる二層タイプとなっているが、これに限られるものではなく、要求される防水性能に応じて三層以上の層を有するものであってもよい。
【００２６】
第一防水層４ａは、バルコニー１の床面全体に亘って床下地材３を覆うとともにバルコニー１の基端側の壁面に沿って立ち上がるように敷設・接着されて形成されている。第一防水層４ａの立ち上がり部５ａは、板状の外壁下地材６に接着されている。第二防水層４ｂは、第一防水層４ａの上面に敷設・接着されて形成されている。第二防水層４ｂの立ち上がり部５ｂは、第一防水層４ａの立ち上がり部５ａの表面に接着されている。第一防水層４ａの立ち上がり部５ａおよび第二防水層４ｂの立ち上がり部５ｂは、後記するサッシ７の下枠８の取付プレート９を覆う位置まで立ち上げられており、第一防水層４ａの立ち上がり部５ａは、取付プレート９の表面に接着されている。第一防水層４ａの立ち上がり部５ａおよび第二防水層４ｂの立ち上がり部５ｂは、固定用押え板１１およびビス１２を介して、外壁下地材６および下地受材１４に固定されている。各立ち上がり部５ａ，５ｂの上端部には、サッシ７の下枠８の下端面の内側端部を覆うようにコーキング１５が施されている。
【００２７】
次に、本実施の形態に係るサッシ防水構造１６の構成について説明する。
【００２８】
サッシ７は、アルミニウムやステンレスなどの材質で構成された一対の縦枠（図示せず）と上枠（図示せず）と下枠８とを備えている。下枠８の下面は、前側に向かうに連れて下方に下がるように傾斜して形成されている。なお、下枠８の下面は水平であってもよい。下枠８の下面の後端部（室内側端部）には、外壁下地材６に当接する取付プレート９が形成されており、ビス１７などの締結手段により、下枠８を外壁下地材６および下地受材１４に固定するようになっている。
【００２９】
下枠８の下面の前端部には、下方に延出する板状の水切り板１８が形成されている。水切り板１８は、サッシ７の幅全長（下枠８の全長）に亘って形成されている。水切り板１８は、その前面が下枠８の前面と面一となるように構成されている。水切り板１８の垂れ下がり長さは、例えば、１５ｍｍ程度となっており、サッシ７のガラス面などから流れた雨水や外壁洗浄時の水など（以下、単に「雨水」という）を、バルコニー１の防水層４上に落下させるようになっている。本実施の形態では、水切り板１８は、後記する後付水切り部材２４を固定する役目も果たす。
【００３０】
なお、下枠８の上面には、サッシ７の幅方向に延びるガイドレール１９が複数形成されており、これらのガイドレール１９上には、窓２１と網戸２２が、それぞれスライド自在に設けられている。なお、図１中、２３は、室内の床材を示す。
【００３１】
ところで、本発明は、サッシ７の下枠８に、後付水切り部材２４を設けたことを特徴とする。後付水切り部材２４は、サッシ７の取付時には、取り付けられておらず、サッシ７を壁面に取り付けて、下枠８の下方のバルコニー１の防水層４の施工を行った後に、下枠８の下面に取り付けられる。
【００３２】
後付水切り部材２４は、下方に垂れ下がる垂下部２５と、下枠８の下面に当接する転び防止部２６とを備えた断面逆Ｌ字状の板材にて構成されている。垂下部２５と転び防止部２６との屈曲角度は、下枠８の下面と水切り板１８とが成す角度と同等となっている。後付水切り部材２４は、下枠８に着脱自在に固定されている。具体的には、垂下部２５が、ビス２７によって下枠８の水切り板１８に固定されている。ビス２７は、水切り板１８の前面から螺合されており、後付水切り部材２４の取り付けおよび取り外しを容易に行うことができる。
【００３３】
垂下部２５は、例えば、５０ｍｍ程度の垂れ下がり長さを有しており、雨水が、下枠８の下方のバルコニー１の床面２との隙間から吹き込んでも、防水層４の立ち上がり部５ａ，５ｂの上端には、飛散しないように構成されている。転び防止部２６は、所定の幅を有して、下枠８の下面に当接している。後付水切り部材２４の垂下部２５には、風圧がかかったり、人の足先がぶつかったりして、外力がかかることが想定される。このような場合、後付水切り部材２４は、ビス２７の接合部を中心に内側へ回転しようとするが、転び防止部２６が下枠８の下面に当接しているので、垂下部２５にかかった外力を下枠の下面に伝えることができ、後付水切り部材２４がバルコニーの基端側に転ぶのを防止できる。
【００３４】
後付水切り部材２４は、サッシ７の下枠８の材料（サッシ７全体の材料）と同質もしくは同等の耐久性を有する金属材料あるいは樹脂材料にて構成されている。例えば、サッシ７がステンレスにて形成されている場合は、後付水切り部材２４もステンレスで形成される。後付水切り部材２４は、ステンレス製板材を屈曲させて形成されるか、あるいはステンレス製の押出形材にて形成される。なお、後付水切り部材２４を、ステンレスと同等の耐久性を有する樹脂材料で構成してもよい。
【００３５】
後付水切り部材２４は、サッシ７の下枠８の材料（サッシ７全体の材料）と同質もしくは近似する色および質感となるように形成されている。例えば、サッシ７がブラウン色のヘアライン仕上げの場合は、後付水切り部材２４もブラウン色のヘアライン仕上げとする。なお、後付水切り部材２４を、サッシ７と同系のブラウン色で濃さを変えて形成してもよい。また、後付水切り部材２４を、壁面あるいはバルコニー１の床面２と同系の色および質感としてもよい。さらに、後付水切り部材２４の色を、サッシ７や壁面などの色と全く変えて、デザイン上のアクセントとするようにしてもよい。
【００３６】
次に、前記構成のサッシ防水構造１６の構築手順を説明しながら、サッシ防水構造１６の作用を説明する。
【００３７】
前記構成のサッシ防水構造１６を構築するに際しては、まず、サッシ７を壁面に取り付けた後に、バルコニー１の防水層４を施工する。ここで、サッシ７の下枠８には、後付水切り部材２４が後付けされるので、後付水切り部材２４を取り付けるための最小寸法の水切り板１８が形成されていればよい。したがって、下枠８とバルコニー１の床面２との隔離寸法を最大限大きくすることができる。そして、防水層４の施工時には、下枠８に、後付水切り部材２４は取り付けられていないので、下枠８の下方に、防水層４の立ち上がり部５ａ，５ｂの施工スペースを確保することができる。これによって、防水層４の施工性が高くなり、立ち上がり部５ａ，５ｂの品質を高めて均一化することができる。さらに、施工作業後に、防水層４の立ち上がり部５ａ，５ｂの仕上がり状態を目視確認することができるので、万一、施工不具合があった場合には、発見・補修することができ、防水層４の品質向上に寄与することができる。
【００３８】
防水層４の施工が終了したならば、下枠８に後付水切り部材２４を取り付ける。下枠８とバルコニー１の床面２との隙間から、後付水切り部材２４を、下枠８の下方へと挿入し、ビス２７によって水切り板１８へと固定する。このとき、後付水切り部材２４の転び防止部２６が下枠８の下面に当接するとともに、垂下部２５が水切り板１８の裏面（壁面側の面）に当接することで、後付水切り部材２４の位置合わせを容易に行うことができる。また、ビス２７を水切り板１８の前面側から螺合させるので、取付作業が容易である。さらに、ビス２７によって固定しているので、後付水切り部材２４は容易に着脱することができる。よって、新築時は勿論のこと、経年変化時のメンテナンスによる再施工時にも、後付水切り部材２４を容易に取り外すことができ、防水層４の立ち上がり部５ａ，５ｂの施工スペースを確保することができる。
【００３９】
サッシ７の下枠８の下部に後付水切り部材２４を取り付けたことによって、下枠８の下方に垂れ下がる水切りの長さが長くなるので、台風などの強風時に、サッシ７の前面に風圧がかかっても、雨水が防水層４の立ち上がり部５ａ，５ｂに飛散することはない。したがって、サッシ７の下部の防水性を高めることができる。そして、サッシ７の下方への雨水の飛散による防水上の負荷をなくすことで、バルコニー１の設計の自由度を高めてバリアフリー設計を維持しながら、安定した防水品質を確保することができる。
【００４０】
特に、本発明によれば、防水層４の品質向上と、立ち上がり部５ａ，５ｂへの雨水の飛散の防止といった作用を同時に得られるので、壁面内への雨水の浸入を確実に防止でき、サッシ７の下部の防水性が大幅に向上する。
【００４１】
また、後付水切り部材２４は、垂下部２５と転び防止部２６とを備え、転び防止部２６が下枠８の下面に当接しているので、垂下部２５に、風圧がかかったり、人の足先がぶつかったりして、外力がかかっても、その外力を下枠８の下面に伝えることができ、ビス２７にかかる応力を低減できる。したがって、後付水切り部材２４が、下枠８から外れて、バルコニー１の基端側に転ぶのを防止できる。
【００４２】
後付水切り部材２４は、サッシ７の下枠８の材料と同質もしくは同等の耐久性を有する金属材料あるいは樹脂材料にて構成され、さらに、下枠８の材料と同質もしくは近似する色および質感となるように形成されているので、下枠８と後付水切り部材２４とで一体感を得ることができ、意匠性を大幅に向上させることができる。また、下枠８と後付水切り部材２４は、万一、汚れや傷が発生したとしても、同等の汚れや傷となるので、一体感を継続的に確保することができる。
【００４３】
［第２実施形態］
図２は、本発明に係るサッシ防水構造を実施するための最良の第２の実施の形態を示した要部拡大斜視図である。
【００４４】
図示するように、かかるサッシ防水構造３１は、後付水切り部材３２の垂下部３３に段差が形成されており、垂下部３３の前面が、下枠８の前面と面一になるように形成されたことを特徴とする。詳しくは、垂下部３３の上端から水切り板１８の垂れ下がり長さ離れた位置に段差が形成されている。段差は水切り板１８の厚さと同等の段を有している。
【００４５】
後付水切り部材３２は、ステンレス製板材あるいはアルミニウム製板材などを屈曲させて形成されるか、あるいはステンレス製あるいはアルミニウム製の押出形材にて形成される。
【００４６】
なお、その他の構成については、前記した第１実施形態と同様であるので、同じ符号を付して、説明を省略する。
【００４７】
かかるサッシ防水構造３１によれば、下枠８と後付水切り部材３２とで一体感を得ることができ、意匠性を向上させることができる。特に、後付水切り部材３２の前面と下枠８の前面とを面一にすることは、後付水切り部材３２を、下枠８の材料と同質もしくは同等の耐久性を有する金属材料あるいは樹脂材料にて構成するとともに、下枠８の材料と同質もしくは近似する色および質感となるように形成することと相俟って、意匠性を大幅に向上することができる。
【００４８】
［第３実施形態］
図３は、本発明に係るサッシ防水構造を実施するための最良の第３の実施の形態を示した要部拡大斜視図である。図３は、サッシ７の下枠８の側端部を斜め上方から見た図である。
【００４９】
図示するように、かかるサッシ防水構造３５は、サッシ７の側面に、サッシ７の前後方向に延びる水切り部材３６を設けたことを特徴とする。この水切り部材３６は、サッシ７の縦枠２９の上下方向に延びる側面を伝って流下してくる雨水が、縦枠２９の下端部から下枠８の下面へ流れ込むのを防止するものである。なお、図中、３０は縦枠２９の前端に側方に張り出すように形成され、サッシ７の前面を流れる雨水が縦枠２９の側面に流れ込むのを防止するための前面プレートである。
【００５０】
水切り部材３６は、後付水切り部材２４と同質もしくは同等の耐久性を有する金属材料あるいは樹脂材料にて構成された板材からなる。この板材は、サッシ７の材料と同質もしくは近似する色および質感となるように形成されている。水切り部材３６は、例えば、後付水切り部材２４の転び防止部２６の端部を切り欠いて、その部分に前記板材を溶接あるいは接着剤などで固定することで形成される。水切り部材３６は、下枠８の前端面から外壁の仕上げ面３７の位置まで延びて形成されている。なお、水切り部材３６は、プレス加工などにより後付水切り部材２４と一体的に形成してもよい。
【００５１】
前記構成のサッシ防水構造３５によれば、サッシ７の前面からの雨水の飛散を防止できるのみならず、サッシ７の側面からの雨水の浸入を防止できるので、サッシ７周りの防水性が大幅に向上する。
【００５２】
以上、本発明を実施するための形態について説明したが、本発明は前記実施の形態に限定されず、本発明の趣旨を逸脱しない範囲で適宜設計変更が可能である。例えば、前記実施の形態では、後付水切り部材２４，３２は、垂下部２５，３３と転び防止部２６とで構成したが、垂下部２５，３３のみで構成するようにしてもよい。この場合、後付水切り部材の転びを防止するために、ビスの本数を増やしたり、あるいは接着性の高い接着剤で取り付けたりする。しかし、これでは後付水切り部材の固定手間が増加するので、前記実施の形態のように、転び防止部２６を設けるのが好ましい。
【００５３】
また、前記実施の形態では、掃き出し窓用のサッシを例に挙げて説明したが、これに限られるものではなく、通常の引き違い窓や嵌め殺し窓であっても、本発明を適用できるのは勿論である。
【図面の簡単な説明】
【００５４】
【図１】本発明に係るサッシ防水構造を実施するための最良の第１の実施の形態を示した断面図である。
【図２】本発明に係るサッシ防水構造を実施するための最良の第２の実施の形態を示した要部拡大断面斜視図である。
【図３】本発明に係るサッシ防水構造を実施するための最良の第３の実施の形態を示した要部拡大斜視図である。
【図４】従来のサッシ防水構造を示した断面図である。
【符号の説明】
【００５５】
１      バルコニー
２      床面
７      サッシ
８      下枠
１６    サッシ防水構造
２４    後付水切り部材
２５    垂下部
２６    転び防止部
２７    ビス
３１    サッシ防水構造
３２    後付水切り部材
３３    垂下部
３５    サッシ防水構造
【図１】
2007046281.tif 000003
【図２】
2007046281.tif 000004
【図３】
2007046281.tif 000005
【図４】
2007046281.tif 000006